(57)【要約】【課題】入賞空間に通出されたセーフ球が一般または特定入賞領域に通入する態様に多様な変化を与え、その通入態様に新しい特別な妙味を奏する。【解決手段】本体１３の上部に入賞口１５が設けられ、該入賞口１５は開閉部材１６により開閉される。本体１３の内部に、入賞口１５に案内通路２０および案内出口を介して連通する所要の奥行き幅を有する入賞空間２１が形成される。入賞空間２１における案内出口より前側に特定入賞領域２２が設けられ、この特定入賞領域２２と案内出口との間および左右両側に一般入賞領域２３が設けられる。一般入賞領域２３より後側の入賞空間２１に、前面壁２５および転動面２６を有する段部２４が設けられる。段部２４には、前面壁２５から一般入賞領域２３の上方を部分的に覆うように前後に往復移動する複数の可動部材２８,２９が配設される。【選択図】図１
2008272527.tif 000002
【特許請求の範囲】
【請求項１】
遊技球用の入賞口を開閉可能に変化する開閉部材と、前記入賞口に連通して所要の奥行き幅を有する入賞空間とを備えた遊技機の入賞装置において、
前記入賞口から入ったセーフ球を前記入賞空間に案内する案内通路と、
前記案内通路を通過したセーフ球が前記入賞空間に向けて放出される案内出口と、
前記入賞空間における前記案内出口より前側に設けられた特定入賞領域および該特定入賞領域と案内出口との間に設けられた一般入賞領域と、
前記一般入賞領域より後側の入賞空間に設けられ、一般入賞領域に対して所定高さで立上がる前面壁および該前面壁の上側で前記案内出口から放出されたセーフ球を前面壁側へ転動案内する転動面を有する段部と、
前記段部の前面壁から前記一般入賞領域の上方を部分的に覆うように前後に往復移動し、該一般入賞領域を覆う領域を変化させ得る複数の可動部材とからなり、
前記転動面から前面壁側に転動したセーフ球を前記一般入賞領域を覆う可動部材を介して前記特定入賞領域または可動部材に覆われていない一般入賞領域に導びき得るよう構成した
ことを特徴とする遊技機の入賞装置。
【請求項２】
遊技球用の入賞口を開閉可能に変化する開閉部材と、前記入賞口に連通して所要の奥行き幅を有する入賞空間とを備えた遊技機の入賞装置において、
前記入賞口から入ったセーフ球を前記入賞空間に案内する案内通路と、
前記案内通路を通過したセーフ球が前記入賞空間に向けて放出される案内出口と、
前記入賞空間における前記案内出口より前側に設けられた特定入賞領域および該特定入賞領域と案内出口との間に設けられた一般入賞領域と、
前記一般入賞領域より後側の入賞空間に設けられ、一般入賞領域に対して所定高さで立上がる前面壁および該前面壁の上側で前記案内出口から放出されたセーフ球を前面壁側へ転動案内する転動面を有する段部と、
前記段部の前面壁から前記一般入賞領域の上方を部分的に覆うように前後に往復移動し、該一般入賞領域を覆う領域を変化させ得る複数の可動部材とからなり、
前記転動面から前面壁側に転動したセーフ球を前記一般入賞領域を覆う可動部材を介して前記特定入賞領域に導びき得るよう構成し、
前記複数の可動部材を前後に往復移動させる駆動機構は、
前記可動部材が配設されると共に、入賞装置本体に対して水平に前後動可能に配設され、カム孔が形成されたカム板と、
前記カム孔に係合するよう挿入され、モータにより水平に偏心回転されて前記カム板を前後動させる円盤カムとを備える
ことを特徴とする遊技機の入賞装置。
【請求項３】
遊技球用の入賞口を開閉可能に変化する開閉部材と、前記入賞口に連通して所要の奥行き幅を有する入賞空間とを備えた遊技機の入賞装置において、
前記入賞口から入ったセーフ球を前記入賞空間に案内する案内通路と、
前記案内通路を通過したセーフ球が前記入賞空間に向けて放出される案内出口と、
前記入賞空間における前記案内出口より前側に設けられた特定入賞領域および該特定入賞領域と案内出口との間に設けられた一般入賞領域と、
前記一般入賞領域より後側の入賞空間に設けられ、一般入賞領域に対して所定高さで立上がる前面壁および該前面壁の上側で前記案内出口から放出されたセーフ球を前面壁側へ転動案内する転動面を有する段部と、
前記段部の前面壁から前記一般入賞領域の上方を部分的に覆うように前後に往復移動し、該一般入賞領域を覆う領域を変化させ得る複数の可動部材とからなり、
前記転動面から前面壁側に転動したセーフ球を前記一般入賞領域を覆う可動部材を介して前記特定入賞領域に導びき得るよう構成し、
前記可動部材は、下アゴ部と、この下アゴ部に対して開閉可能に設けられた上アゴ部とからなり、該可動部材の前後の往復移動に連動して、上アゴ部を下アゴ部に対して開閉するよう構成した
ことを特徴とする遊技機の入賞装置。
【請求項４】
前記可動部材は、前記下アゴ部と前記上アゴ部との間に前後に連通して、セーフ球の前後の通過を許容する通路が形成され、この通路は、前記上アゴ部の開閉にかかわらずセーフ球の前方への通出を許容するよう構成される請求項３記載の遊技機の入賞装置。
【請求項５】
前記複数の可動部材は、主可動部材と従可動部材とからなり、
前記駆動機構は、
前記主可動部材が配設される第１のカム板と、前記従可動部材が配設される第２のカム板とが、上下の関係で配設され、
前記第１のカム板のカム孔に挿入される第１の円盤カムと、前記第２のカム板のカム孔に挿入される第２の円盤カムとが、前記モータにより一体的に回転するよう上下の関係で設けられると共に、第１の円盤カムに対して第２の円盤カムを偏心するよう配置される請求項２記載の遊技機の入賞装置。
【請求項６】
前記複数の可動部材は、主可動部材と従可動部材とからなり、
前記主可動部材の前記下アゴ部に回動可能に枢支された前記上アゴ部に、入賞装置本体に一端が枢支された連結杆の他端が枢支されると共に、該連結杆の上端部が引張りバネにより常には前方に向けて傾動するよう付勢され、
前記連結杆と前記引張りバネとの協働により、前記主可動部材の前進時に下アゴ部に対して上アゴ部を閉成し、後退時に下アゴ部に対して上アゴ部を開放するよう構成し、
前記従可動部材の前記下アゴ部に回動可能に枢支された前記上アゴ部に、前後方向に延在形成された長孔に対して、入賞装置本体に設けられたピンが摺動可能に挿入されると共に、上アゴ部と入賞装置本体との間に張設された引張りバネにより上アゴ部が常には閉成方向に付勢され、
前記ピン、前記長孔および前記引張りバネの協働により、前記従可動部材の前進時に下アゴ部に対して上アゴ部を閉成し、後退時に下アゴ部に対して上アゴ部を開放するよう構成した請求項３記載の遊技機の入賞装置。
【請求項７】
複数の可動部材は、前記一般入賞領域を部分的に覆うように前後動する主可動部材と、該一般入賞領域における前記主可動部材で覆われる部分と異なる部分を覆うように前後動する従可動部材とを備える請求項１〜６の何れか一項に記載の遊技機の入賞装置。
【発明の詳細な説明】
【技術分野】
【０００１】
この発明は、遊技機の入賞装置に関し、更に詳細には、遊技媒体としてパチンコ球を使用するパチンコ遊技機において、入賞口から入賞空間に入ったセーフ球が、該入賞空間に設けた一般入賞領域または特定入賞領域の内、該特定入賞領域に通入することで、遊技者にとって有利な特別遊技を実行し得る入賞装置に関するものである。
【背景技術】
【０００２】
パチンコ機の遊技盤に実施されるこの種の入賞装置は、入賞口を開閉可能な羽根状や扉状等の開閉部材が、電磁ソレノイドや関連部材等を含む開閉駆動機構の駆動に基づいて開閉動作変化される基本的構成を備えている。また、入賞装置の内部に画成されて前記入賞口から入ったセーフ球が通出される入賞空間には、一般入賞領域と特定入賞領域とが設けられ、入賞空間を後側から前側へ転動するセーフ球は、何れかの領域に通入するようになっている。
【０００３】
そして、前記入賞装置について、その実施態様に設定される基本的な開閉部材の開成作動態様(開閉パターン)に関しては、以下のように設定されている。
(ａ) 遊技中に発生した始動条件(遊技球の始動入賞検出)に基づいて、開閉部材が第１のパターンで１回または２回の開閉動作を行なう始動がなされる。
(ｂ) この始動中に入賞口に入ったセーフ球が、前記特定入賞領域に通入して特別セーフ球として検出判定されたことにより発生される特別遊技条件(特別検出手段等によるセーフ球検出)に基づいて、開閉部材が第２のパターンで連続的に開閉動作を行なう本作動がなされる。
(ｃ) この本作動中に(ｂ)項の特別セーフ球により発生される特別遊技の継続条件に基づいては、開閉部材が第２のパターンで再び連続的に開閉動作を行なう継続本作動がなされる。
そして、以降はこの継続本作動が当該回で特別遊技条件を成立することを前提にして、設定回数(例えば１６回)まで継続可能とされている。
【発明の開示】
【発明が解決しようとする課題】
【０００４】
前述した従来の入賞装置においては、前記一般入賞領域および特定入賞領域は、前記入賞空間の前側において幅方向の左右に並んで設けられており、前述した開閉部材の開成作動状態において入賞口から入ったセーフ球の一般または特定入賞領域への通入態様が、単純そのもので特別な技術的工夫が見られない。すなわち入賞装置における開閉部材の開閉動作中において、入賞口の開放状態時に入った遊技球が入賞空間に通出されてセーフ球とされ、このセーフ球が入賞空間の後側から前側へ転動する。そしてこのセーフ球は、最終的には一般入賞領域または特定入賞領域の何れかに通入するようになっている。しかし全てのセーフ球については、その通出角度や方向等を自然的に定められた状態で入賞空間を転動されるだけであって、単に定位置の特定入賞領域に通入されたセーフ球が特別セーフ球として検出されるだけとなっており、その通入態様に特別な変化や妙味が見られない。
【０００５】
このように従来の入賞装置では、セーフ球の各入賞領域への通入態様が単純なものとなっており、セーフ球の通入に係る態様が特別な変化・妙味のない乏しいものになっている。このため全てのセーフ球が入賞空間を前方へ転動される状態等をみた場合において、幅方向に並んでいる一般入賞領域と特定入賞領域との何れかにどのような割合で通入するのかについては、入賞空間内でのセーフ球の通出位置、例えば左右の側部や中央部等の各位置を転動する時点で既に決まってしまうことが多い。そしてこのことに関係して、遊技者にとって最大関心事である「特別セーフ球の発生状況」について、何ら期待できないものになってしまっている現状にある。
【０００６】
本発明は、前述した従来の技術に内在している前記課題に鑑み、これを好適に解決するべく提案されたもので、入賞空間に通出されたセーフ球が一般または特定入賞領域に通入する態様に多様な変化を与え、その通入態様に新しい特別な妙味を奏し得る遊技機の入賞装置を提供することを目的とする。
【課題を解決するための手段】
【０００７】
前述した課題を克服し、所期の目的を好適に達成するため本発明は、
遊技球用の入賞口(15)を開閉可能に変化する開閉部材(16)と、前記入賞口(15)に連通して所要の奥行き幅を有する入賞空間(21)とを備えた遊技機の入賞装置において、
前記入賞口(15)から入ったセーフ球を前記入賞空間(21)に案内する案内通路(20)と、
前記案内通路(20)を通過したセーフ球が前記入賞空間(21)に向けて放出される案内出口(20a)と、
前記入賞空間(21)における前記案内出口(20a)より前側に設けられた特定入賞領域(22)および該特定入賞領域(22)と案内出口(20a)との間に設けられた一般入賞領域(23)と、
前記一般入賞領域(23)より後側の入賞空間(21)に設けられ、一般入賞領域(23)に対して所定高さで立上がる前面壁(25)および該前面壁(25)の上側で前記案内出口(20a)から放出されたセーフ球を前面壁(25)側へ転動案内する転動面(26)を有する段部(24)と、
前記段部(24)の前面壁(25)から前記一般入賞領域(23)の上方を部分的に覆うように前後に往復移動し、該一般入賞領域(23)を覆う領域を変化させ得る複数の可動部材(28,29)とからなり、
前記転動面(26)から前面壁(25)側に転動したセーフ球を前記一般入賞領域(23)を覆う可動部材(28,29)を介して前記特定入賞領域(22)または可動部材(28,29)に覆われていない一般入賞領域(23)に導びき得るよう構成したことを特徴とする。  
【０００８】
前述した課題を克服し、所期の目的を好適に達成するため本願の別の発明は、
遊技球用の入賞口(15)を開閉可能に変化する開閉部材(16)と、前記入賞口(15)に連通して所要の奥行き幅を有する入賞空間(21)とを備えた遊技機の入賞装置において、
前記入賞口(15)から入ったセーフ球を前記入賞空間(21)に案内する案内通路(20)と、
前記案内通路(20)を通過したセーフ球が前記入賞空間(21)に向けて放出される案内出口(20a)と、
前記入賞空間(21)における前記案内出口(20a)より前側に設けられた特定入賞領域(22)および該特定入賞領域(22)と案内出口(20a)との間に設けられた一般入賞領域(23)と、
前記一般入賞領域(23)より後側の入賞空間(21)に設けられ、一般入賞領域(23)に対して所定高さで立上がる前面壁(25)および該前面壁(25)の上側で前記案内出口(20a)から放出されたセーフ球を前面壁(25)側へ転動案内する転動面(26)を有する段部(24)と、
前記段部(24)の前面壁(25)から前記一般入賞領域(23)の上方を部分的に覆うように前後に往復移動し、該一般入賞領域(23)を覆う領域を変化させ得る複数の可動部材(28,29)とからなり、
前記転動面(26)から前面壁(25)側に転動したセーフ球を前記一般入賞領域(23)を覆う可動部材(28,29)を介して前記特定入賞領域(22)に導びき得るよう構成し、
前記複数の可動部材(28,29)を前後に往復移動させる駆動機構(31)は、
前記可動部材(28,29)が配設されると共に、入賞装置本体(13)に対して水平に前後動可能に配設され、カム孔(35a,38a)が形成されたカム板(35,38)と、
前記カム孔(35a,38a)に係合するよう挿入され、モータ(32)により水平に偏心回転されて前記カム板(35,38)を前後動させる円盤カム(33,34)とを備えることを特徴とする。
【０００９】
前述した課題を克服し、所期の目的を好適に達成するため本願の更に別の発明は、
遊技球用の入賞口(15)を開閉可能に変化する開閉部材(16)と、前記入賞口(15)に連通して所要の奥行き幅を有する入賞空間(21)とを備えた遊技機の入賞装置において、
前記入賞口(15)から入ったセーフ球を前記入賞空間(21)に案内する案内通路(20)と、
前記案内通路(20)を通過したセーフ球が前記入賞空間(21)に向けて放出される案内出口(20a)と、
前記入賞空間(21)における前記案内出口(20a)より前側に設けられた特定入賞領域(22)および該特定入賞領域(22)と案内出口(20a)との間に設けられた一般入賞領域(23)と、
前記一般入賞領域(23)より後側の入賞空間(21)に設けられ、一般入賞領域(23)に対して所定高さで立上がる前面壁(25)および該前面壁(25)の上側で前記案内出口(20a)から放出されたセーフ球を前面壁(25)側へ転動案内する転動面(26)を有する段部(24)と、
前記段部(24)の前面壁(25)から前記一般入賞領域(23)の上方を部分的に覆うように前後に往復移動し、該一般入賞領域(23)を覆う領域を変化させ得る複数の可動部材(28,29)とからなり、
前記転動面(26)から前面壁(25)側に転動したセーフ球を前記一般入賞領域(23)を覆う可動部材(28,29)を介して前記特定入賞領域(22)に導びき得るよう構成し、
前記可動部材(28,29)は、下アゴ部(28a,29a)と、この下アゴ部(28a,29a)に対して開閉可能に設けられた上アゴ部(28b,29b)とからなり、該可動部材(28,29)の前後の往復移動に連動して、上アゴ部(28b,29b)を下アゴ部(28a,29a)に対して開閉するよう構成したことを特徴とする。
請求項１〜３に係る発明によれば、入賞装置の開閉部材が設定パターンに基づいて開閉動作されることにより、入賞口が開放されて遊技球が入賞する。このセーフ球は、案内通路を経て入賞空間に通出され、該入賞空間に設けられた段部の転動面を後側から前側へ転動する。そしてこのセーフ球は、段部の転動面から前面壁側に落下し、最終的には段部の前側において前後の関係で設けられた特定入賞領域と一般入賞領域の何れかへ通入される。セーフ球の転動面からの落下時に、一般入賞領域を部分的に覆うよう前面壁から前後に往復移動する可動部材に当たることで、該セーフ球の落下方向が様々に変更され、一般または特定入賞領域への通入態様に変化が与えられる。
【００１０】
請求項４に係る発明では、前記可動部材(28)は、前記下アゴ部(28a)と前記上アゴ部(28b)との間に前後に連通して、セーフ球の前後の通過を許容する通路(30)が形成され、この通路(30)は、前記上アゴ部(28b)の開閉にかかわらずセーフ球の前方への通出を許容するよう構成されることを要旨とする。
【００１１】
請求項５に係る発明では、前記複数の可動部材は、主可動部材(28)と従可動部材(29)とからなり、
前記駆動機構(31)は、
前記主可動部材(28)が配設される第１のカム板(35)と、前記従可動部材(29)が配設される第２のカム板(38)とが、上下の関係で配設され、
前記第１のカム板(35)のカム孔(35a)に挿入される第１の円盤カム(33)と、前記第２のカム板(38)のカム孔(38a)に挿入される第２の円盤カム(34)とが、前記モータ(32)により一体的に回転するよう上下の関係で設けられると共に、第１の円盤カム(33)に対して第２の円盤カム(34)を偏心するよう配置されることを要旨とする。
【００１２】
請求項６に係る発明では、前記複数の可動部材は、主可動部材(28)と従可動部材(29)とからなり、
前記主可動部材(28)の前記下アゴ部(28a)に回動可能に枢支された前記上アゴ部(28b)に、入賞装置本体(13)に一端が枢支された連結杆(36)の他端が枢支されると共に、該連結杆(36)の上端部が引張りバネ(37)により常には前方に向けて傾動するよう付勢され、
前記連結杆(36)と前記引張りバネ(37)との協働により、前記主可動部材(28)の前進時に下アゴ部(28a)に対して上アゴ部(28b)を閉成し、後退時に下アゴ部(28a)に対して上アゴ部(28b)を開放するよう構成し、
前記従可動部材(29)の前記下アゴ部(29a)に回動可能に枢支された前記上アゴ部(29b)に、前後方向に延在形成された長孔(29c)に対して、入賞装置本体(13)に設けられたピン(39)が摺動可能に挿入されると共に、上アゴ部(29b)と入賞装置本体(13)との間に張設された引張りバネ(40)により上アゴ部(29b)が常には閉成方向に付勢され、
前記ピン(39)、前記長孔(29c)および前記引張りバネ(40)の協働により、前記従可動部材(29)の前進時に下アゴ部(29a)に対して上アゴ部(29b)を閉成し、後退時に下アゴ部(29a)に対して上アゴ部(29b)を開放するよう構成したことを要旨とする。
【００１３】
請求項７に係る発明では、 複数の可動部材は、前記一般入賞領域(23)を部分的に覆うように前後動する主可動部材(28)と、該一般入賞領域(23)における前記主可動部材(28)で覆われる部分と異なる部分を覆うように前後動する従可動部材(29)とを備えることを要旨とする。
【発明の効果】
【００１４】
本発明に係る遊技機の入賞装置によれば、入賞空間において、特定入賞領域と一般入賞領域とを前後の関係で設けたから、特定入賞領域への通入態様に新しい特別な変化を奏することができる。また、一般入賞領域の上方を部分的に覆う複数の可動部材を前後動させることで、その覆う領域を変化させ得るので、入賞空間の転動面から落下するセーフ球の通入態様に新しい特別な妙味を奏し、これにより通常セーフ球(一般入賞領域に通入するセーフ球)と適宜割合で区分される特別セーフ球(特定入賞領域に通入するセーフ球)の発生態様に新しい変化を奏することも可能となり、その期待感等を高めることができる。従って、装置自体のゲーム、更には全体のパチンコゲームの興趣の向上を図り得る利点がある。
【発明を実施するための最良の形態】
【００１５】
次に、本発明に係る遊技機の入賞装置につき、好適な実施例を挙げて添付図面を参照しながら、以下詳細に説明する。
【実施例】
【００１６】
(パチンコ機の遊技盤について)
先ず図６に略示されるパチンコ機(遊技機)の遊技盤Ｊについて要約説明すると、該遊技盤Ｊでは、その前面に取着された略円形状に湾曲形成したレール１０により囲まれた遊技領域Ｉにおいて、その略中央部に実施例に係る電動式入賞装置(入賞装置)Ｍが配置される。また電動式入賞装置Ｍより下側の遊技領域Ｉにおける縦央部には、第１始動入賞具Ｎ１が配設されると共に、該第１始動入賞具Ｎ１の左右両側に離間して第２始動入賞具Ｎ２が夫々配設されている。各始動入賞具Ｎ１,Ｎ２は、電動式入賞装置Ｍに対する所定の始動条件を成立させるものであって、第１始動入賞具Ｎ１は、その内部に配設されたスイッチ(図示せず)で遊技球の入賞を検出することにより、電動式入賞装置Ｍの後述する開閉部材１６,１６を２回開閉動させ、また第２始動入賞具Ｎ２は、その内部に配設された図示しないスイッチが遊技球の入賞を検出することにより、開閉部材１６,１６を１回開閉動させるよう設定されている。なお、遊技領域Ｉの適宜位置には、風車とも称されて遊技球の流下方向を変更する案内車１１や、遊技状態に応じて照射パターンが変更制御される電飾装置１２等が配設される。
【００１７】
(電動式入賞装置の本体について)
前記電動式入賞装置Ｍは、図１〜図５に例示する本体１３を介して遊技盤Ｊに装着セットされる。この本体１３は、セーフ球用の通入出経路を形成すると共に各種部材を装着するために、その全体が複合組立式の筺型化されるものであって、適宜デザイン形状に形成されて遊技盤Ｊの前面に取着される基枠体１４の上部左右に、遊技球用の入賞口１５,１５が形成されると共に、該入賞口１５,１５を開閉可能に変化して遊技球を２方向から本体内に入賞可能にする左右一組の開閉部材１６,１６が配設されている。
【００１８】
(開閉部材について)
前記両開閉部材１６,１６は、互いに同様(対称)な構造、形状に成形された内外方向への傾動形態とされて、基枠体１４の裏側に配設された第１ソレノイド１７を駆動源とする第１駆動機構１８により開閉動作するよう構成される。すなわち、開閉部材１６,１６は、図２に示す起立対向位置が通常の閉鎖状態とされ、また図１に示す上端が外向きに傾倒する位置が開放状態とされて、第１駆動機構１８により両開閉部材１６,１６が閉鎖状態と開放状態とに同時に傾動変化されて前記入賞口１５,１５を開閉するよう構成される。なお、各開閉部材１６は、その開放時には入賞口１５への遊技球の通入用の案内部材として機能する。
【００１９】
(案内通路について)
前記両開閉部材１６,１６の間の基枠体１４に球受け台１９が形成され、前記各入賞口１５から入ったセーフ球は先ず球受け台１９で受けられた後(図４参照)、該球受け台１９に連絡された左右の案内通路２０,２０の何れかに通入するよう構成される。そして、各案内通路２０の最下流端、すなわち案内出口２０ａが、本体１３の内部に画成されて所要の奥行き幅を有する入賞空間２１に対して、奥側の左右何れかの側に連通しており、案内通路２０を通過したセーフ球を、入賞空間２１の奥側において幅方向の中央に向けて通出するようにしている。
【００２０】
(特定入賞領域および一般入賞領域について)
前記入賞空間２１における前記案内出口２０ａ,２０ａが設けられる位置より前側には、幅方向の略中央に特定入賞領域２２が設けられ、該特定入賞領域２２にセーフ球が通入して特別セーフ球として検出判定されたことにより発生される特別遊技条件(特別検出手段等によるセーフ球検出)に基づいて、前記開閉部材１６,１６が第２のパターンで連続的に開閉動作を行なう本作動がなされるよう設定される。
【００２１】
また、特定入賞領域２２と前記案内出口２０ａ,２０ａとの間の入賞空間２１に一般入賞領域２３が設けられ、該一般入賞領域２３に通入したセーフ球は本体裏側に通出される。すなわち図５に示すように、特定入賞領域２２と一般入賞領域２３とは前後の関係で設けられ、前記案内出口２０ａから入賞空間２１に通出されたセーフ球は、一般入賞領域２３を越えたものが特定入賞領域２２に通入するよう構成される。なお、実施例では特定入賞領域２２の左右両側にも一般入賞領域２３が設けられ、前側の一般入賞領域２３に通入したセーフ球は、後側の一般入賞領域２３に通入したセーフ球と同様に本体裏側に通出されるよう構成される。
【００２２】
(段部について)
前記後側の一般入賞領域２３より後側の入賞空間２１に、図１に示すように段部２４が設けられる。この段部２４は、一般入賞領域２３に対して所定高さで立上がる前面壁２５および該前面壁２５の上側で前記案内出口２０ａから放出されたセーフ球を前面壁側へ転動案内する転動面２６を有する。この転動面２６は、その全体が前面壁側に向けて下方傾斜すると共に、後側の後転動面２６ａと前側の前転動面２６ｂとに分かれており、前記両案内出口２０ａ,２０ａは後転動面２６ａの左右側部に開放し、各案内出口２０ａから通出するセーフ球は先ず後転動面２６ａ上に受けられるよう構成される(図５参照)。また、後転動面２６ａにおける幅方向の中央には、後述する主可動部材２８の通路３０に連通する開口２７が上下に貫通するよう形成されると共に、該後転動面２６ａは、該開口２７に向かうにつれて下方傾斜している。
【００２３】
(可動部材について)
前記段部２４の前面壁２５には、幅方向に離間して複数(実施例では３つであるが、その数は限定されない)に前後に貫通する出入口２５ａが形成され、各出入口２５ａに対応して、前記後側の一般入賞領域２３の上方を部分的に覆うように前面壁２５から前後に往復移動する２種類の可動部材２８,２９が配設されている。図３に示す如く、前記転動面２６の開口２７および前記特定入賞領域２２に対応する幅方向の中央に位置する主可動部材２８は、「ワニ」の頭部を模したものであって、下アゴ部２８ａと上アゴ部２８ｂとからなり、下アゴ部２８ａに対して上アゴ部２８ｂが開閉可能に構成されている。また主可動部材２８には、セーフ球の通過を許容する前後に延在する通路３０が上下のアゴ部２８ａ,２８ｂ内において前後に延在するよう形成されると共に、上アゴ部２８ｂの後部側には前記開口２７と連通可能な通口２８ｃが形成されており、前記後転動面２６ａから開口２７に入ったセーフ球は、通口２８ｃを介して通路３０に通入するよう構成される。
【００２４】
前記主可動部材２８を挟んで左右両側に位置する各従可動部材２９は、主可動部材２８と同様に、「ワニ」の頭部を模したものであって、下アゴ部２９ａと上アゴ部２９ｂとからなり、下アゴ部２９ａに対して上アゴ部２９ｂが開閉可能に構成されている。但し、従可動部材２９には、セーフ球用の通口や通路は設けられていない。
【００２５】
前記主および従可動部材２８,２９は、前記基枠体１４の裏側に配設された第２駆動機構３１により相互に前後動するよう構成される。この第２駆動機構３１は、図７〜図１０に示す如く、第１モータ３２により水平に偏心回転される主可動部材用の下円盤カム３３および従可動部材用の上円盤カム３４を有している。前記主可動部材２８の下アゴ部２８ａは、前記本体１３に対して水平に前後動可能に配設された下カム板３５の前端部に配設されて一体に前後動するよう構成されると共に、該下カム板３５に形成された下カム孔３５ａに下円盤カム３３が回転可能に挿入されている。なお、下カム孔３５ａの左右方向の内側寸法は、下円盤カム３３の直径より長く設定されており、該下カム孔３５ａに係合する下円盤カム３３が偏心回転することで、図８(ａ),(ｂ)に示す如く、下板カム３５と共に主可動部材２８が前後に往復移動するよう構成される。
【００２６】
前記主可動部材２８の下アゴ部２８ａに回動可能に枢支された上アゴ部２８ｂには、本体１３に一端が枢支された連結杆３６の他端が枢支されると共に、該連結杆３６の上端部近傍が引張りバネ３７により常には前方に向けて傾動するよう付勢されている。そして、連結杆３６と引張りバネ３７の協働により、主可動部材２８の前進時には下アゴ部２８ａに対して上アゴ部２８ｂが閉成され(図８(ｂ))、後退時には下アゴ部２８ａに対して上アゴ部２８ｂが開放するよう構成される(図８(ａ))。なお、上アゴ部２８ｂの閉成時であっても、前記通路３０を通過するセーフ球の前方への通出を許容するよう設定される。
【００２７】
前記左右両側の従可動部材２９,２９の下アゴ部２９ａ,２９ａは、前記下カム板３５の上方において本体１３に対して水平に前後動可能に配設された上カム板３８の前端部に配設されて一体に前後動するよう構成されると共に、図９に示すように該上カム板３８に形成された上カム孔３８ａに前記上円盤カム３４が回転可能に挿入されている。なお、上カム孔３８ａの左右方向の内側寸法は、上円盤カム３４の直径より長く設定されており、該上カム孔３８ａに係合する上円盤カム３４が偏心回転することで、図１０(ａ),(ｂ)に示す如く、上板カム３８と共に左右の両従可動部材２９,２９が前後に往復移動するよう構成される。また、前記下円盤カム３３に対して上円盤カム３４が偏心しており、主可動部材２８が前進する際には従可動部材２９,２９が後退し、逆に主可動部材２８が後退する際には従可動部材２９,２９が前進するよう設定されている。
【００２８】
前記各従可動部材２９の下アゴ部２９ａに回動可能に枢支された上アゴ部２９ｂには、図１０に示す如く、略前後方向に延在する長孔２９ｃが形成されると共に、本体１３に設けられたピン３９が該長孔２９ｃに摺動可能に挿入されている。また上アゴ部２９ｂと本体１３との間に引張りバネ４０が張設されて、該引張りバネ４０は上アゴ部２９ｂを常には閉成方向に付勢するよう構成される。そして、ピン３９と長孔２９ｃおよび引張りバネ４０の協働により、従可動部材２９の前進時には下アゴ部２９ａに対して上アゴ部２９ｂが閉成され(図１０(ｂ))、後退時には下アゴ部２９ａに対して上アゴ部２９ｂが開放するよう構成される(図１０(ａ))。
【００２９】
前記主および従可動部材２８,２９の前進時には、前記後側の一般入賞領域２３の上部を部分的に覆うよう設定され、前記段部２４の転動面２６から前面壁側に落下したセーフ球が該可動部材２８,２９に当たることで、該セーフ球を前側の一般入賞領域２３や特定入賞領域２２に通入させ得るよう構成される。また、主および従可動部材２８,２９の後退時には、後側の一般入賞領域２３の上部を開放するよう設定され、段部２４の転動面２６から前面壁側に落下したセーフ球は後側の一般入賞領域２３に通入するようになっている。
【００３０】
(停留部材について)
前記段部２４に設けられた前記開口２７に近接して、前記セーフ球を一旦保留し得る停留部４１ａを有する停留部材４１が配設される。この停留部材４１は、図３に示す如く、前記基枠体１４の裏側に配設された第２ソレノイド４２を駆動源とする第３駆動機構４３により上下動されて、開口２７に対するセーフ球の通入阻止状態(図１)と、セーフ球を開口２７へ通入可能に停留する停留状態(図３)および停留解除状態(図１)に可動可能に構成される。なお実施例では、セーフ球の通入阻止状態と停留解除状態とは同一位置に設定され、停留部材４１は上方の停留状態と下方の通入阻止状態、停留解除状態との間を上下動するようになっている。そして、停留部材４１は、停留状態において停留部４１ａに停留保持したセーフ球を、停留解除状態へ可動することで解放し、これにより該セーフ球が開口２７を介して前記主可動部材２８の通路３０に通入するよう構成される。またこの停留解除状態(通入阻止状態)において、停留部材４１が開口２７の上方を覆って、前記案内出口２０ａから通出されるセーフ球が開口２７に通入するのを阻止するようになっている。
【００３１】
なお実施例の停留部材４１は、前記第２ソレノイド４２に通電した作動中は停留状態に保持され(図１１(ｂ))、該ソレノイド４２への通電を停止した作動停止中はバネにより停留解除状態(通入阻止状態)に保持される(図１１(ａ))よう設定される。
【００３２】
(可動体について)
前記案内出口２０ａと開口２７との間(停留部材４１の左右両側位置)の入賞空間２１には、前記転動面２６の上方において、該案内出口２０ａから入賞空間２１に通出されるセーフ球を変向案内するための可動体４４が、夫々前後に往復移動可能に配設される。これら可動体４４,４４は、前記基枠体１４の裏側に配設された第４駆動機構４５により一体的に前後動するよう構成される。この第４駆動機構４５は、図１２に示す如く、基本的には本体１３に対して水平に前後動可能に配設されて、前記可動体４４,４４が支持棒４６,４６を介して配設された作動板４７と、該作動板４７の下方に配設された正逆回転可能な第２モータ４８とを有し、該モータ４８の出力軸に配設されたピニオン４９が、作動板４７の下面に形成されて前後方向に延在するラック５０に噛合している。すなわち、第２モータ４８を正逆回転することで、ラック５０とピニオン４９との噛合作用下に、作動板４７と共に両可動体４４,４４が一体的に前後動するよう構成される。
【００３３】
前記可動体４４,４４は、その前出時(図４)または後退時(図５)においては、前記案内出口２０ａから通出されたセーフ球が前記開口２７側へ転動するのを許容すると共に、その途中の状態では案内出口２０ａと開口２７との間に臨んで、該案内出口２０ａから通出されたセーフ球の開口２７側への転動を阻止し、該可動体４４,４４に当ったセーフ球を前面壁２５側に転動案内するよう設定されている。
【００３４】
(実施例の作用)
次に、このように構成した実施例に係る電動式入賞装置の作用につき説明する。なお、実施例の電動式入賞装置Ｍは、パチンコ機に対する電源投入状態の前提において、通常では開成作動前の初期状態に静止されており、両開閉部材１６,１６が対向閉鎖状態に保持されて入賞口１５,１５を全閉している。また、前記停留部材４１は通入阻止状態(停留解除状態)に保持されている。但し、前記第２駆動機構３１および第４駆動機構４５は駆動され、前記主および従可動部材２８,２９が交互に前後動すると共に、前記可動体４４,４４も前後動している。
【００３５】
この状態において、前記遊技盤Ｊの遊技領域Ｉ内に打出された遊技球が各始動入賞具Ｎ１,Ｎ２に入ってスイッチで検出されると、所定のプログラム制御に基づいて始動条件が発生される。すなわち、前記第１駆動機構１８が駆動され、前記開閉部材１６,１６が１回または２回の始動開閉動作を行なって入賞口１５,１５を開閉する。
【００３６】
この始動において、前記入賞口１５,１５から入った遊技球は、本体１３に設けた球受け台１９を介して左または右側の案内通路２０に通入されてセーフ球とされる。そしてこのセーフ球は、図４または図５に示す如く、前記入賞空間２１における奥側の側部(案内出口２０ａ)から前記後転動面２６ａ上に通出され、前後動している前記可動体４４に当たって転動方向が変化可能となる。そして、前記開口２７側に向かうことなく後転動面２６ａおよび前転動面２６ｂを後側から前側へ転動したセーフ球は、最終的には一般入賞領域２３または特定入賞領域２２の何れかに通入される。この場合において、後側の一般入賞領域２３は、前記第２駆動機構３１の駆動により交互に前後動している主および従可動部材２８,２９により覆われる領域が変化し、加えて主または従可動部材２８,２９に当たってセーフ球の方向が変化されるので、該一般入賞領域２３を越えて特別入賞領域２２へ通入する態様に変化・妙味が与えられる。
【００３７】
すなわち、主および従可動部材２８,２９の後退時には、前記後側の一般入賞領域２３の上部は開放されるから、前記転動面２６から前側に落下するセーフ球は主に後側の一般入賞領域２３に通入する。これに対して主および従可動部材２８,２９の前出時には、後側の一般入賞領域２３が部分的に覆われ、前記転動面２６から前側に落下するセーフ球は、該可動部材２８,２９に当たって後側の一般入賞領域２３を越えて、特定入賞領域２２への通入が期待できる。なお、主可動部材２８と従可動部材２９,２９とは交互に前後動しているから、全ての可動部材２８,２９が後退して特定入賞領域２２への通入が期待できなくなることはない。
【００３８】
前記始動中において前記停留部材４１は、通入阻止状態(停留解除状態)から上下動を複数回(例えば２回)行なうことで、停留状態と通入阻止状態(停留解除状態)とに変化するよう設定されている。従って、前記可動体４４が前出時または後退時において前記案内出口２０ａからセーフ球が通出されれば、該セーフ球は可動体４４に邪魔されることなく前記開口２７側に転動される。このとき、停留部材４１が停留状態に可動していれば、前記停留部４１ａにセーフ球が保留され、このセーフ球は停留部材４１が停留解除状態に可動することに伴って前記主可動部材２８の通路３０に通入される。なお、停留部材４１が通入阻止状態であったり、案内出口２０ａから通出されたセーフ球が可動体４４に当って転動方向が変化された場合は、該セーフ球は前述したと同様に前面壁２５側に向かって転動する。
【００３９】
前記主可動部材２８の通路３０に通入したセーフ球は、該可動部材２８が前出時で前記特定入賞領域２２に連通している状態では該特定入賞領域２２に通入するが、主可動部材２８が後退時であれば前記後側の一般入賞領域２３に通入する。すなわち、始動中におけるセーフ球の特定入賞領域２２への通入態様が複数通りとなり、興趣が向上する。
【００４０】
前述の始動中に入ったセーフ球が、特定入賞領域２２に通入されて図示しない特別検出手段で検出された場合には、所定のプログラム制御に基いて、特別遊技条件が成立されて連続本作動が開始可能とされる。この場合は、前記第１駆動機構１８の駆動によって、開閉部材１６,１６が所定の連続開閉動作を行ない入賞口１５,１５を開閉する。なおこの本作動では、最高規定回数(例えば１８回)以内、または最高規定個数(例えば１０個)のセーフ球をカウント検出するまでの間に亘り、開閉部材１６,１６の開閉動作が可能とされる。
【００４１】
この連続本作動では、前記入賞口１５,１５の連続開閉により短時間内に相当多くの遊技球が極めて容易に入賞し得、セーフ球は、前述と同様に案内通路２０から入賞空間２１に通出される。そして、前記転動面２６を後側から前側へ転動したセーフ球は、前述した始動中における場合と同様に、最終的には一般入賞領域２３または特定入賞領域２２の何れかに通入される。
【００４２】
前記特別遊技条件の成立により、前記第３駆動機構４３が駆動されて前記停留部材４１が通入阻止状態から停留状態に可動され、前記案内出口２０ａから入賞空間２１に通出されたセーフ球の内１球は、前記開口２７の上方において停留部材４１の停留部４１ａに一旦保留される(図３参照)。但し、停留部４１ａに１球のセーフ球が保留された時点以降にあっては、案内出口２０ａから入賞空間２１に通出されたセーフ球は、停留部４１ａに保留されることなく、一般または特定の何れかの入賞領域２３,２２に通入される。
【００４３】
そしてこの遊技球入賞状況において、セーフ球のｎ個カウント時に、前記第２駆動機構３１の駆動が、前記主可動部材２８を特定入賞領域２２に連通する前出状態で停止する。また、前記第３駆動機構４３の第２ソレノイド４２への通電が停止し、停留状態の前記停留部材４１が停留解除状態に可動する。これにより、該停留部材４１に保留されているセーフ球は、前記開口２７および通口２８ｃを介して主可動部材２８の通路３０に通入し、該通路３０を通過して特定入賞領域２２に通入される。この結果、開閉作動条件の継続の成立が確認される。すなわち、停留部材４１の停留部４１ａにセーフ球を保留することで、特定入賞領域２２へのセーフ球の通入確率を高め、予め設定された特別遊技の継続設定回数まで継続させることが容易となる。
【００４４】
このように実施例の電動式入賞装置Ｍでは、一般入賞領域２３を挟んで案内出口２０ａと特定入賞領域２２とが設けられているから、従来のように単に特定入賞領域２２と一般入賞領域２３とが幅方向の左右に設けられている場合とは異なるセーフ球の通入態様となる。また後側の一般入賞領域２３の上方は、３基の可動部材２８,２９,２９の前後動により覆われる領域が変化するから、前記案内出口２０ａから入賞空間２１に通出されたセーフ球が、前記転動面２６から落下した後においても、特定入賞領域２２への通入を期待することができ、遊技の興趣が高まる。
【００４５】
(変更例について)
本発明の対象とする電動式入賞装置については、前述した実施例に限定されず、これを適宜変更、応用した例の技術例も好適に推奨される。
【００４６】
例えば、開閉スライド形式の電動式入賞装置も可能である。すなわち、本体の基枠体に設けた左右の球受け用のスライド部材が、対向閉鎖状態と両外側への離隔開放状態とに移動変化されて入賞口を開閉する構成を採用し得る。また、停留部材に関しては、開口の上流でセーフ球を一旦保留し得るものであれば、前後動するものや回転するものであってもよい。なお、可動部材や停留部材の可動条件は、前述した設定例に限られるものでなく、適宜変更可能である。
【００４７】
可動部材に関しては、実施例では主可動部材と従可動部材とを交互に前後動させる場合で説明したが、両部材を同時に前後動させたり、あるいは各可動部材を独立してランダムに前動後させるようにしてもよい。
【００４８】
(付記)
(１)遊技球用の入賞口を開閉可能に変化する開閉部材と、前記入賞口に連通して所要の奥行き幅を有する入賞空間とを備えた遊技機の入賞装置において、
前記入賞口から入ったセーフ球を前記入賞空間に案内する案内通路と、
前記案内通路を通過したセーフ球が前記入賞空間に向けて放出される案内出口と、
前記入賞空間における前記案内出口より前側に設けられた特定入賞領域および該特定入賞領域と案内出口との間に設けられた一般入賞領域と、
前記一般入賞領域より後側の入賞空間に設けられ、一般入賞領域に対して所定高さで立上がる前面壁および該前面壁の上側で前記案内出口から放出されたセーフ球を前面壁側へ転動案内する転動面を有する段部と、
前記段部の前面壁から前記一般入賞領域の上方を部分的に覆うように前後に往復移動し、該一般入賞領域を覆う領域を変化させ得る複数の可動部材とからなり、
前記転動面から前面壁側に転動したセーフ球を前記一般入賞領域を覆う可動部材を介して前記特定入賞領域に導びき得るよう構成してもよい。
(２)前記複数の可動部材は、前記セーフ球の通過を許容する通路が形成された主可動部材と、該主可動部材とは交互に往復移動すると共に前記通路が形成されていない従可動部材とで構成され、前記段部の転動面には、前記主可動部材の通路にセーフ球を通出可能な開口が開設され、該主可動部材が前記一般入賞領域を覆う前出時に前記通路が前記特定入賞領域に連通するよう構成してもよい。
これにより、前記段部の転動面に設けられた開口に入ったセーフ球は、主可動部材の通路に通入し、該主可動部材の前出時に通路を通過するセーフ球が前記特定入賞領域に通入する。
前記一般入賞領域を覆う主可動部材に、特定入賞領域にセーフ球を誘導する通路を設けたことで、転動面から落下したセーフ球が主または従可動部材に当たって特定入賞領域に通入するルートとは別のルートでセーフ球を特定入賞領域に通入させることができ、その通入態様が多彩となる。
(３)前記段部の転動面に設けられた前記開口に近接して、前記セーフ球の停留部を有する停留部材が、前記開口に対するセーフ球の通入阻止状態、セーフ球を開口へ通入可能に停留する停留状態および停留解除状態に可動可能に配設してもよい。
これにより、前記開口に近接して設けられた停留部材が通入阻止状態であれば、入賞空間に通出したセーフ球の開口への通入は阻止される。この停留部材が停留状態であれば、セーフ球は該停留部材の停留部に一旦停留確保され、この停留部材が停留解除状態へ可動することで、該セーフ球が解放されて開口に通入する。
主可動部材の通路へのセーフ球の通入を許容するよう転動面に開設された開口の近傍に、セーフ球を解放可能に保留し得る停留部材を配設したから、特定入賞領域へのセーフ球の通入の期待感等を高めることができる。なお、入賞装置の始動中において停留部材を可動するよう設定すれば、該始動中における特定入賞領域へのセーフ球の通入態様が複数通りとなり、興趣が向上する。
(４)前記段部における転動面の幅方向中央に前記開口が設けられると共に、該転動面は開口に向かうにつれて下方傾斜し、前記案内出口と開口との間の入賞空間に、前後に往復移動する可動体を配設してもよい。
前記案内通路の案内出口と開口との間に設けられた可動体の前後動により、入賞空間に通出されるセーフ球の通出方向が適当に変更される。
前記案内出口と開口との間の入賞空間に可動体を前後動可能に配設することで、案内出口から通出されたセーフ球の転動方向を可動体により変向することができ、入賞空間内におけるセーフ球の転動態様に面白みが増す。
【図面の簡単な説明】
【００４９】
【図１】本発明の好適な実施例に係る電動式入賞装置を一部破断して示す概略斜視図である。
【図２】実施例に係る電動式入賞装置の正面図である。
【図３】実施例に係る電動式入賞装置を主可動部材の配設位置で縦断して示す側面図である。
【図４】実施例に係る電動式入賞装置を従可動部材の配設位置で縦断して示す側面図である。
【図５】実施例に係る電動式入賞装置の横断平面図である。
【図６】実施例に係る電動式入賞装置が配設される遊技盤の正面図である。
【図７】実施例に係る主可動部材と第２駆動機構を示す要部概略斜視図である。
【図８】実施例に係る主可動部材の前後の動作状態を示す側面図である。
【図９】実施例に係る従可動部材と第２駆動機構を示す要部概略斜視図である。
【図１０】実施例に係る従可動部材の前後の動作状態を示す側面図である。
【図１１】実施例に係る停留部材と第３駆動機構とを上下の動作状態で示す概略斜視図である。
【図１２】実施例に係る可動体と第４駆動機構とを前後の動作状態で示す概略斜視図である。
【符号の説明】
【００５０】
１３  本体(入賞装置本体)
１５  入賞口
１６  開閉部材
２０  案内通路
２０ａ  案内出口
２１  入賞空間
２２  特定入賞領域
２３  一般入賞領域(第１の一般入賞領域,第２の一般入賞領域)
２４  段部
２５  前面壁
２６  転動面
２８  主可動部材(可動部材)
２８ａ,２９ａ  下アゴ部
２８ｂ,２９ｂ  上アゴ部
２９  従可動部材(可動部材)
２９ｃ  長孔
３０  通路
３１  第２駆動機構(駆動機構)
３２  モータ(第１モータ)
３３  下円盤カム(第１の円盤カム)
３４  上円盤カム(第２の円盤カム)
３５  下カム板(第１のカム板)
３５ａ  下カム孔(第１のカム孔)
３６  連結杆
３７,４０  引張りバネ
３８  上カム板(第２のカム板)
３８ａ  上カム孔(第２のカム孔)
３９  ピン
【図１】
2008272527.tif 000003
【図２】
2008272527.tif 000004
【図３】
2008272527.tif 000005
【図４】
2008272527.tif 000006
【図５】
2008272527.tif 000007
【図６】
2008272527.tif 000008
【図７】
2008272527.tif 000009
【図８】
2008272527.tif 000010
【図９】
2008272527.tif 000011
【図１０】
2008272527.tif 000012
【図１１】
2008272527.tif 000013
【図１２】
2008272527.tif 000014